(57)【要約】【課題】二次電池の残存容量を、省電力で効果的に検出することが可能なワイヤレス充電モジュールを提供する。【解決手段】受電コイルと共振コンデンサにより構成された受電共振回路４を有する受電機１と、受電機の出力電力が供給される二次電池５とを備え、送電機１の送電コイルと受電コイルの間の電磁誘導等を介して受電共振回路に発生する交流電力を整流回路２０により直流電力に変換して二次電池を充電するワイヤレス充電モジュール。二次電池の残存容量を検出する容量検出回路２４と、容量検出回路の動作を制御する受電制御部２５とを備え、受電制御部は、容量検出回路を、高精度で残存容量を検出する高精度測定モードと、高精度測定モードの場合に比べて検出精度が低い低精度測定モードとで切換えて動作させることが可能であり、二次電池の充電時には高精度測定モードで、二次電池の放電時には低精度測定モードで容量検出回路を動作させる。【選択図】図１
2014180126.tif 000002
【特許請求の範囲】
【請求項１】
受電コイルと共振コンデンサにより構成された受電共振回路を有する受電機と、
前記受電機の出力電力が供給される二次電池とを備え、
送電機の送電コイルと前記受電コイルの間の電磁誘導または電磁共鳴を介して前記受電共振回路に発生する交流電力を、整流回路により直流電力に変換して前記二次電池を充電するワイヤレス充電モジュールにおいて、
前記二次電池の残存容量を検出する容量検出回路と、前記容量検出回路の動作を制御する受電制御部とを備え、
前記受電制御部は、高精度で残存容量を検出する高精度測定モードと、前記高精度測定モードに比べて検出精度が低い低精度測定モードとで切換えて前記容量検出回路を動作させることが可能であり、
前記二次電池の充電時には前記高精度測定モードで、前記二次電池の放電時には前記低精度測定モードで前記容量検出回路を動作させることを特徴とするワイヤレス充電モジュール。
【請求項２】
前記受電機は、前記充電時と前記放電時とを、前記整流回路が出力する受電電圧に基づいて判別する請求項１に記載のワイヤレス充電モジュール。
【請求項３】
前記受電機は、前記低精度測定モードでは、容量検出の頻度を前記高精度測定モード時と比べて低減させる請求項１または２に記載のワイヤレス充電モジュール。
【請求項４】
前記容量検出回路及び前記受電制御部は、充放電特性曲線により充電もしくは放電の電流と電圧値から残存容量を算出するための予め記憶されたデータに基づき、充電もしくは放電中に測定した電圧・電流のデータを用いて残存容量を算出する第１算出方法と、充電もしくは放電中に測定した電流を積算して得た積算容量を用いて残存容量を算出する第２算出方法とを実行することが可能なように構成され、
前記高精度測定モードでは前記第１算出方法と前記第２算出方法とを併せて実行し、両方法の組わせにより残存容量を算出し、
前記低精度測定モードでは、前記第１算出方法と前記第２算出方法のいずれか一方のみにより残存容量を算出する請求項１〜３のいずれか１項に記載のワイヤレス充電モジュール。
【請求項５】
前記受電機は、充放電サイクルの毎回あるいは所定の回毎に測定し記録された充放電特性を所定の頻度で平均化して、電池特性の劣化を含めた劣化後充放電特性を演算し、
積算容量、電圧特性、負荷電流特性、１サイクル毎の充放電時間、充電サイクル回数（充電時間）のうちの少なくとも１つのパラメータを用い、前記劣化後充放電特性に基づいて残存容量の演算を行う請求項１〜４のいずれか１項に記載のワイヤレス充電モジュール。
【請求項６】
前記受電機は、予め測定された前記二次電池の初期充放電特性を記憶し、前記劣化後充放電特性と前記初期充放電特性を比較して差異を求め、利用時点での残存容量を補正する請求項５に記載のワイヤレス充電モジュール。
【請求項７】
前記受電機は、検出された残存容量が、設定された限界残存容量未満に達したとき、前記二次電池を電源として接続されたセット機器システムに警告信号を送信する請求項１〜６のいずれか１項に記載のワイヤレス充電モジュール。
【請求項８】
送電コイルと共振コンデンサにより構成された送電共振回路を有する送電機と、
請求項１に記載のワイヤレス充電モジュールとを備えたワイヤレス充電システムであって、
前記受電機は、前記容量検出回路が検出した前記二次電池の残存容量の情報を二値化して、前記送電機側に逐次無接点でデータを転送する送信部を備え、
前記送電機は、前記転送されたデータに基づき残存容量の表示を行うか、または、前記転送されたデータを前記送電機が接続されたホストシステムに送信するように構成されたワイヤレス充電システム。
【発明の詳細な説明】
【技術分野】
【０００１】
本発明は、電磁誘導または電磁共鳴を利用して、送電側からワイヤレス（無接点）で伝送される電力を受けて二次電池を充電するためのワイヤレス充電モジュールに関し、二次電池の残存容量を、低減された消費電力で効果的に検出するための改良に関する。また、そのようなワイヤレス充電モジュールを用いたワイレス充電システムに関する。
【背景技術】
【０００２】
近年、携帯電話をはじめとする小型の電子セット機器に対して、ワイヤレスで給電する電力伝送システムが採用されつつある。セット機器に内蔵された二次電池を充電するために、ワイヤレス電力伝送に基づくワイレス充電システムを採用すれば、充電操作の煩雑さが大幅に改善される。また、コイン型リチウムイオン電池で動作する補聴器のような小型セット機器の場合、使用環境を考慮して防水構造が必要である場合が多いので、形態上、電池をワイヤレスで充電することが必須とされる。
【０００３】
ワイヤレス充電システムは、送電機と、セット機器に組み込まれた充電機能を有する受電機により構成される。送電機の送電コイルと受電機の受電コイルの間の電磁誘導を介して電力が伝送され、受電機は、受電コイルを含む共振回路により受電した交流電力を、整流回路により直流電力に変換する。整流回路から出力される電力を充電電圧に電圧変換して、リチウムイオン二次電池等の二次電池に対する充電が行われる。
【０００４】
一方、ノートパソコンなど、二次電池を電源とする民生用途の機器では、その残存容量を検出して、使用者に報知する機能は不可欠となっている。民生用の小型電池の電池制御ＩＣでは、電流積算を高精度に行い、満充電容量から使用電荷量を差し引くことで、残存容量を求める方法が一般的である。
【０００５】
例えば特許文献１には、電流積算を用いて残存容量を算出するために、満充電容量を正確に算出するように構成された残存容量検出装置が開示されている。満充電容量は電池の劣化により減少するため、二次電池の劣化後の満充電容量を正確に推定することが、残存容量の算出精度向上のために重要である。
【０００６】
特許文献１に開示された装置では、電池パックの放電開始時に、電池電圧の電圧値の変化と、電池パックを流れる電流の電流値の変化から直流抵抗を求め、直流抵抗と満充電容量の関係に基づいて電池パックの満充電容量を求める第１の推定方法を実行し、電池パックの放電中に、電池電圧から予測する開放電圧と、電池パックを流れる電流の情報から得られる使用電荷量の関係から電池パックの満充電容量を推定する第２の推定方法を実行する。両方法の組合わせにより、電池の劣化を考慮した満充電容量を精度良く算出して、使用頻度が少ない電池に対しても、残存容量の検出精度を向上させることができる。
【先行技術文献】
【特許文献】
【０００７】
【特許文献１】特開2012-32267号公報
【発明の概要】
【発明が解決しようとする課題】
【０００８】
コイン型二次電池は小容量であるためバクアップ用途が多く、従来、機器システムの稼働用に利用されるケースは少なかった。例外的に、補聴器のような消費電力の少ない小型機器の場合には、コイン型電池がシステムの稼働用に使用されている。また、コイン型リチウムイオン電池は従来のコイン電池と比較して高出力であるため、今後の用途として、小型機器に限らず、機器システムの稼働用への利用が見込まれる。
【０００９】
従来、コイン型二次電池では、小容量であるため残存容量検出機能を持たせることは想定されていなかった。残存容量測定のための消費電力が、使用可能時間の減少に与える影響が大きいためである。これに対して、比較的大容量のコイン型リチウムイオン電池を用いること、また、ワイヤレス充電システムを適用することにより、残存容量検出機能を搭載することが望まれるようになった。電池を使用し管理している機器システム側に残存容量を報告し、あるいは充電時の電池容量を送電側にフィードバックすることは、使用者の利便性を高めるために必要だからである。
【００１０】
但し、小容量のコイン型二次電池の残存容量管理においては、精度と消費電力はトレードオフの関係にあることを考慮する必要がある。高精度に管理を行おうとすれば消費電力は増加し、省電力にしようとすれば精度が悪くなってしまう。とりわけ小容量の二次電池の場合に電池パック内で電力を消費することは、機器システムへの電力供給能力の低下を招き、機器システムの稼働時間を著しく低下させる。
【００１１】
通常の二次電池は、容量が大きく、電池の残存容量を検出する回路を駆動しても充電容量に大きな影響を及ぼすことはない。従って、高い検出精度が求められることもあって、頻繁に容量検出を動作させる。しかし、コイン型二次電池の場合、通常の二次電池の場合と同様な方法で電池の容量検出を頻繁に行うと、自己消費の大きさにより電池の使用時間が極端に減少する。
【００１２】
そこで本発明は、二次電池の残存容量を、省電力で効果的に検出することが可能なワイヤレス充電モジュールを提供することを目的とする。
【００１３】
また、そのようなワイヤレス充電モジュールを用いた、充電動作を効果的に管理可能なワイヤレス充電システムを提供することを目的とする。
【課題を解決するための手段】
【００１４】
本発明のワイヤレス充電モジュールは基本構成として、受電コイルと共振コンデンサにより構成された受電共振回路を有する受電機と、前記受電機の出力電力が供給される二次電池とを備え、送電機の送電コイルと前記受電コイルの間の電磁誘導または電磁共鳴を介して前記受電共振回路に発生する交流電力を、整流回路により直流電力に変換して前記二次電池を充電するように構成される。
【００１５】
上記課題を解決するために、本発明のワイヤレス充電モジュールは、前記二次電池の残存容量を検出する容量検出回路と、前記容量検出回路の動作を制御する受電制御部とを備え、前記受電制御部は、高精度で残存容量を検出する高精度測定モードと、前記高精度測定モードに比べて検出精度が低い低精度測定モードとで切換えて前記容量検出回路を動作させることが可能であり、前記二次電池の充電時には前記高精度測定モードで、前記二次電池の放電時には前記低精度測定モードで前記容量検出回路を動作させることを特徴とする。
【発明の効果】
【００１６】
上記構成のワイヤレス充電モジュールによれば、充電時と放電時で測定モードを切換えることにより、二次電池の消費電力を低く抑制することが可能である。すなわち、充電時には、電源は外部から供給されるので、消費電力が大きい高精度で測定しても、二次電池の稼働時間には影響がない。一方、放電時は、二次電池の自己消費電力の少ない低精度測定モードに切り替えられる。これにより、全体として省電力で、稼働時間を犠牲にせずに高精度の残存容量管理が可能となる。
【図面の簡単な説明】
【００１７】
【図１】本発明の一実施の形態におけるワイヤレス充電モジュールを含むワイヤレス充電システムを示すブロック図
【図２】同ワイヤレス充電モジュールに含まれる容量検出回路を示すブロック図
【発明を実施するための形態】
【００１８】
本発明のワイヤレス充電モジュールは、上記構成を基本として、以下のような態様をとることができる。
【００１９】
すなわち、前記受電機は、前記充電時と前記放電時とを、前記整流回路が出力する受電電圧に基づいて判別する。
【００２０】
また、前記受電機は、前記低精度測定モードでは、容量検出の頻度を前記高精度測定モード時と比べて低減させる。
【００２１】
また、前記容量検出回路及び前記受電制御部は、充放電特性曲線により充電もしくは放電の電流と電圧値から残存容量を算出するための予め記憶されたデータに基づき、充電もしくは放電中に測定した電圧・電流のデータを用いて残存容量を算出する第１算出方法と、充電もしくは放電中に測定した電流を積算して得た積算容量を用いて残存容量を算出する第２算出方法とを実行することが可能なように構成され、前記高精度測定モードでは前記第１算出方法と前記第２算出方法とを併せて実行し、両方法の組合わせにより残存容量を算出し、前記低精度測定モードでは、前記第１算出方法と前記第２算出方法のいずれか一方のみにより残存容量を算出する。
【００２２】
また、前記受電機は、充放電サイクルの毎回あるいは所定の回毎に測定し記録された充放電特性を所定の頻度で平均化して、電池特性の劣化を含めた劣化後充放電特性を演算し、積算容量、電圧特性、負荷電流特性、１サイクル毎の充放電時間、充電サイクル回数（充電時間）のうちの少なくとも１つのパラメータを用い、前記劣化後充放電特性に基づいて残存容量の演算を行う。
【００２３】
また、前記受電機は、予め測定された前記二次電池の初期充放電特性を記憶し、前記劣化後充放電特性と前記初期充放電特性を比較して差異を求め、利用時点での残存容量を補正する。
【００２４】
また、前記受電機は、検出された残存容量が、設定された限界残存容量未満に達したとき、前記二次電池を電源として接続されたセット機器システムに警告信号を送信する。
【００２５】
本発明のワイヤレス充電モジュールは、次のように構成することができる。すなわち、送電コイルと共振コンデンサにより構成された送電共振回路を有する送電機と、上記構成のワイヤレス充電モジュールとを備え、前記受電機は、前記容量検出回路が検出した前記二次電池の残存容量の情報を二値化して、前記送電機側に逐次無接点でデータを転送する送信部を備え、前記送電機は、前記転送されたデータに基づき残存容量の表示を行うか、または、前記転送されたデータを前記送電機が接続されたホストシステムに送信する。
【００２６】
以下、本発明の実施形態について図面を参照しながら説明する。
【００２７】
＜実施の形態＞
実施の形態１におけるワイヤレス充電システムについて、図１に示すブロック図を参照して説明する。この充電システムは、ワイヤレス電力伝送システムを構成する送電機１と受電機２を含む。送電機１は、送電コイルと共振コンデンサからなる送電共振回路３を備え、受電機２は、受電コイルと共振コンデンサからなる受電共振回路４を備え、両コイル間での電磁誘導または電磁共鳴を介して受電機２に電力を伝送するように構成される。
【００２８】
受電機２は、例えば携帯電話や補聴器等の電子セット機器に組み込まれ、内蔵された例えばコイン型リチウムイオン電池等のような二次電池５を充電する。二次電池５から、セット機器システム６に電力を供給する。受電機２と二次電池５により、ワイヤレス充電モジュールが構成される。
【００２９】
送電機１は、外部電源７、及びコンピュータ等のホストシステム８と接続されている。外部電源７から供給される電力は、電源回路９により調整され、コイルドライバ１０を介して高周波電力として送電共振回路３に供給される。その動作は、送電制御部１１のＣＰＵ１２により制御される。送電制御部１１とホストシステム８間の通信により、送電機１の動作が管理される。ホストシステム８による管理が必要の無い単純な充電のみの場合、送電機１には外部電源７のみが接続され、受電機２を管理しシステムが運用される。
【００３０】
送電制御部１１は更に、ＡＤＣ（ＡＤコンバータ）１３、及びＬＥＤ駆動部１４を備えている。ＡＤＣ１３には、受信部１５の出力信号が供給され、ＬＥＤ駆動部１４は、ＬＥＤ１６に接続されている。受信部１５は、送電共振回路３に接続され、受電機２からの負荷変調によるデータ通信を受電共振回路４を介して受信し、受信信号をＡＤＣ１３に入力する。ＡＤＣ１３は、受信信号をデジタル信号に変換して、ＣＰＵ１２及びＬＥＤ駆動部１４に供給する。ＣＰＵ１２は、この通信により得られるデータを、電源回路９の制御に反映させる。また、ＬＥＤ駆動部１４は、得られるデータの情報、例えば二次電池５の充電容量（残存容量）をＬＥＤ１６により表示させる。
【００３１】
受電機２では、受電共振回路４の共振コンデンサの両端に発生した交流電力が、整流回路２０によって直流電力に変換される。整流回路２０が出力する受電電圧は充電回路２１により所定電圧に制御されて、二次電池５に供給され充電が行われる。整流回路２０の出力端と充電回路２１の間のノードとグランド間には、ツェナーダイオード２２が挿入されて、充電回路２１に印加される電圧を制限している。二次電池５の負極端子とグランド間にセンス抵抗２３が接続されて、二次電池５の残存容量の検出に用いられる。
【００３２】
センス抵抗２３の両端は、容量検出回路２４に接続され、各ノードにおける電圧が検出される。容量検出回路２４にはまた、二次電池５の正極端子が接続されて、二次電池５の電圧が検出される。容量検出回路２４はこれらの各電圧に基づき、二次電池５の残存容量を算出する機能を有する。容量検出回路２４にはさらに、整流回路２０が出力する受電電圧が供給され、これに基づき動作の切り替えが行われる。すなわち、受電電圧が検出されていれば、送電機１からの送電により二次電池５の充電が行われている充電モードであることを意味する。従って、受電電圧の有無によって、充電モードと放電モードを判別することができ、充放電モードに応じた動作が選択される。
【００３３】
受電制御部２５は、タイマ２６、Ｉ／Ｆ回路２７、ＲＯＭ／ＲＡＭメモリ２８、及びＲＦ回路２９を備え、ＣＰＵ３０によりそれらの要素の動作を制御し、また、それらの要素を用いて容量検出回路２４の動作を制御して残存容量の検出を行う。
【００３４】
タイマ２６は、容量検出回路２４に含まれるＡＤＣの時間制御等に用いられる。Ｉ／Ｆ回路２７は、セット機器システム６と通信を行い、二次電池５の残存容量のデータを送信したり、セット機器の状況に応じてワイヤレス充電システムの制御を行うために設けられる。ＲＯＭ／ＲＡＭメモリ２８には、充電もしくは放電の電流と電圧値から容量を算出するための充放電特性曲線のデータが記憶されている。ＣＰＵ３０は、上述のように容量検出回路２４に供給される各部の電圧、及び充放電特性曲線のデータに基づいて残存容量を算出する。ＲＦ回路２９は、送電機１との間で、受電共振回路４及び送電共振回路３を介した負荷変調によるデータ通信を行うために設けられ、容量検出回路２４等の動作により検出された残存容量のデータ等を送信する。
【００３５】
このワイヤレス充電システムは、ワイヤレス充電モジュールを構成する受電機２に特徴を有する。すなわち、受電制御部２５は、高精度で二次電池５の残存容量を検出する高精度測定モードと、高精度測定モードの場合に比べて検出精度が低い低精度測定モードとで切換えて容量検出回路２４を動作させる。これにより、送電機１からの送電電力により二次電池５の充電が行われている充電モード時と、二次電池５の充電が行われていない放電モード時とに応じて、充電時には容量検出回路２４を高精度測定モードで動作させ、放電時には低精度測定モードで動作させる。
【００３６】
このように、充電時と放電時で測定モードを切換えることにより、二次電池５の消費電力を低く抑制することが可能となる。すなわち、充電時には、電源は外部（ワイヤレス）から供給されるので、消費電力が大きい高精度で測定しても、二次電池５の稼働時間には影響がない。一方、放電時は、二次電池５を電源として検出を行う必要があるので、低精度測定モードに切り替えられる。すなわち、低精度の測定では、自己消費電力が低減されるからである。これにより、残存容量検出の動作全体として省電力となり、稼働時間を犠牲にせずに高精度の残存容量管理が可能となる。
【００３７】
このような高精度測定モードと低精度測定モードの間での切換えは、本実施の形態では一例として、容量検出回路２４に供給される整流回路２０が出力する受電電圧に基づいて、充電時と放電時とを判別することによって行われる。
【００３８】
低精度測定モードでの省電力のための動作例としては、容量検出の頻度、すなわち、測定頻度（時間間隔）、測定タイミング（電池電圧変動）等を、高精度測定モードと比べて低減させる設定とすることができる。例えば、充電中に適用する高精度測定モードでは連続して電流積算を行って残存容量を算出し、放電中に適用する低精度測定モードでは間欠的に電圧と電流の関係から残存容量を算出する設定とすることができる。あるいは、測定設定（容量検出回路２４に含まれるＡＤＣの精度）を変更することにより、消費電力を低減してもよい。
【００３９】
あるいは、高精度測定モードと低精度測定モードを設定するために、容量検出回路２４及び受電制御部２５を、次のような第１算出方法と第２算出方法を実行可能なように構成する。すなわち、第１算出方法は、充放電特性曲線により充電もしくは放電の電流と電圧値から残存容量を算出するための予めＲＯＭ／ＲＡＭメモリ２８に記憶されたデータに基づき、充電もしくは放電中に測定した電圧・電流のデータを用いて残存容量を算出する設定とする。第２算出方法は、充電もしくは放電中に測定した電流を積算して得た積算容量を用いて残存容量を算出する設定とする。
【００４０】
高精度測定モードでは第１算出方法と第２算出方法とを併せて実行し、両方法の組わせにより残存容量を算出する。低精度測定モードでは、第１算出方法と第２算出方法のいずれか一方のみにより残存容量を算出する。これにより、低精度測定モードではいずれか一方の方法のみを実行するので、二次電池５の消費電力を低く抑制することができる。
【００４１】
以上の構成において、残存容量検出の精度を向上させるために、電池特性の劣化に伴う充放電特性の変化に対する補正を行うことが望ましい。例えば、受電制御部２５は、充放電サイクルの毎回あるいは所定の回毎に測定し記録された充放電特性を所定の頻度で平均化して、電池特性の劣化を含めた劣化後充放電特性を演算する。そして、積算容量、電圧特性、負荷電流特性、１サイクル毎の充放電時間、充電サイクル回数（充電時間）のうちの少なくとも１つのパラメータを用い、劣化後充放電特性に基づいて残存容量の演算を行う。
【００４２】
また、受電制御部２５は、予め測定された二次電池の初期充放電特性をＲＯＭ／ＲＡＭメモリ２８記憶する構成とする。そして、ＲＯＭ／ＲＡＭメモリ２８に記憶された初期充放電特性と劣化後充放電特性とを比較して差異を求め、利用時点での残存容量を補正する構成とすることができる。
【００４３】
さらに、二次電池５を適切に使用するための限界残存容量を設定しておき、受電制御部２５は、検出された残存容量が限界残存容量未満に達したとき、セット機器システム６に警告信号を送信するように構成されてもよい。また、充電容量を測定することで、容量劣化が既定の値まで達した時、もしくは積算された充電時間が既定の値まで達した時は、素電池を寿命と判断し、セット機器システム６、または送電機１、ホストシステム８に警告信号を送信する構成としてもよい。
【００４４】
さらに、ワイヤレス充電システムの構成として、受電機２は、容量検出回路２４等により検出した二次電池５の残存容量の情報を二値化して、ＲＦ回路２９により送電機１側に逐次無接点でデータを転送し、送電機１は、転送されたデータに基づきＬＥＤ１６により残存容量の表示を行う構成とすることができる。あるいは、転送されたデータを、送電機１が接続されたホストシステム８に送信するように構成してもよい。ワイヤレス充電システムの場合、送電機１側で直接残存容量を検出することができないので、このような構成は、送電機１の充電動作制御のためには有用である。
【００４５】
次に、容量検出回路２４の構成例、及びその動作について、図２のブロック図を参照して説明する。容量検出回路２４に設けられた入力電圧セレクタ３１には、受電機２の各部の電圧が供給される。二次電池５の電池電圧、センス抵抗２３の両端の電圧、及び整流回路２０の出力である受電電圧である。容量検出回路２４にはＣＰＵ３０から測定信号切換信号が入力され、それに応じて入力電圧セレクタ３１が切換えられて、上述の各部の電圧から選択された電圧がコンパレータ３２に入力される。
【００４６】
選択された電圧は、コンパレータ３２、基準電圧生成回路３３、抵抗（１．５Ｒ、Ｒ、０．５Ｒ）、及びエンコーダ３４により構成されたＡＤＣ（コンバータ）によりＡＤ変換されて、ＣＰＵ３０に出力される。すなわち、入力電圧セレクタ３１による切換に従って、二次電池５の電池電圧、センス抵抗２３の両端の電圧、及び受電電圧が逐次ＡＤ変換され、エンコーダ３４からＣＰＵ３０に供給される。ＣＰＵ３０では、これらのデータ、及びＲＯＭ／ＲＡＭメモリ２８記憶された充放電特性曲線のデータに基づき、電池容量の演算を行う。
【００４７】
上記ＡＤＣの動作は、測定制御部３５により制御される。測定制御部３５による制御動作のために、ＣＰＵ３０からレジスタ設定信号が入力され、さらに、タイマ２６からの信号、及びシステムＣＬＫも入力される。測定制御部３５は、ストローブ生成回路３６、ＣＬＫ分周回路３７、充放電モード切換部３８、及びレジスタ３９を備えている。レジスタ３９には、ＣＰＵ３０からのレジスタ設定信号に基づき、ＡＤＣの動作の基本的な設定が記憶される。
【００４８】
充放電モード切換部３８は、整流回路２０の出力である受電電圧に基づき、ＣＬＫ分周回路３７によるシステムＣＬＫの分周比を設定するための切換信号を出力する。すなわち、充放電モード切換部３８では、受電電圧の有無に応じて充放電モードを判別し、それによる高精度測定モードと低精度測定モードの選択に応じて切換信号を出力する。
【００４９】
ＣＬＫ分周回路３７によるシステムＣＬＫの分周比は、充放電モード切換部３８からの切換信号及びエンコーダ３４からのＡＤ変換値に応じて決定され、出力されるクロックは、ストローブ生成回路３６及びエンコーダ３４に供給される。ストローブ生成回路ではストローブ信号が生成されＡＤＣに供給されて、ＡＤＣの動作タイミングが制御される。これにより、充放電のモードに応じて、ＡＤ変換する回数がストローブ生成回路３６で制御される。
【００５０】
タイマ２６からの信号は、残存容量検出のための測定頻度（時間間隔）を管理するために用いられる。上述のように、高精度測定モードを第１算出方法と第２算出方法の併用として設定し、低精度測定モードを第１算出方法と第２算出方法のいずれか一方のみに設定した場合であれば、測定頻度を次の例のように設定する。すなわち、高精度測定モードでは、例えば、電流積算を１回／秒、及び電圧測定を８回／秒の測定頻度とし、低精度測定モードでは、電流積算を０．１回／秒、もしくは、電圧測定を０．１回／秒の測定頻度とする。
【００５１】
低精度測定モードでは、ＡＤコンバータ分解能を、例えば１０ビットから８ビットに低減したり、動作クロックを１０ＭＨｚから５ＭＨｚにを落とすことで、ＡＤコンバータ回路の消費電力を低減させることもできる。上述のような測定頻度の低減と併用することもできる。
【産業上の利用可能性】
【００５２】
本発明のワイヤレス充電システムは、二次電池の消費電力を低減して、稼働時間を犠牲にせずに高精度の残存容量管理が可能であるため、携帯電話や補聴器等の小型の電気機器に有用である。
【符号の説明】
【００５３】
１  送電機
２  受電機
３  送電共振器
４  受電共振器
５  二次電池
６  セット機器システム
７  外部電源
８  ホストシステム
９  電源回路
１０  コイルドライバ
１１  送電制御部
１２、３０  ＣＰＵ
１３  ＡＤＣ
１４  ＬＥＤ駆動部
１５  受信部
１６  ＬＥＤ
２０  整流回路
２１  充電回路
２２  ツェナーダイオード
２３  センス抵抗
２４  容量検出回路
２５  受電制御部
２６  タイマ
２７  Ｉ／Ｆ回路
２８  ＲＯＭ／ＲＡＭ
２９  ＲＦ回路
３１  入力電圧セレクタ
３２  コンパレータ
３３  基準電圧生成回路
３４  エンコーダ
３５  測定制御部
３６  ストローブ生成回路
３７  ＣＬＫ分周回路
３８  充放電モード切換部
３９  レジスタ
【図１】
2014180126.tif 000003
【図２】
2014180126.tif 000004